(57)【特許請求の範囲】
【請求項１】
内部時計を有し、標準電波局から送信される標準時刻信号を受信して、前記内部時計を修正し、かつ前記内部時計に応じて時刻表示を行う自動修正時計であって、
前記標準電波局から送信された標準時刻信号に応じて前記内部時計を修正し、あらかじめ定められた時間内にさらに受信した標準時刻信号に応じた時刻と、前記内部時計が計時する現時刻との誤差を求め、前記内部時計の誤差に応じて、所定の時間当たりの内部時計に対する補正量を求め、補正量に基づいて、所定の時間内における補正回数及び補正時刻を決定し、前記決定された補正時刻に、前記求められた補正量に応じて前記内部時計を修正し、
前回標準電波が正常に受信された時刻から現時刻までの時間が所定時間内と判別された場合は、前記内部時計を修正する補正量を求め、所定時間外で該所定時間よりも短いと判別された場合は補正量がそのまま保持され、該所定時間よりも長いと判別された場合は補正量が０にされる制御回路を有する
自動修正時計。
【発明の詳細な説明】
【０００１】
【発明の属する技術分野】
本発明は、たとえば、標準電波を受信し、この標準電波に含まれる標準時刻信号に応じて時刻を修正する自動修正時計に関するものである。
【０００２】
【従来の技術】
従来、たとえば、福島県田村郡都路村と双葉郡川内村の郡境にある大鷹谷山の標準電波送信所から周波数４０ｋＨｚの標準電波、または九州の福岡県と佐賀県の県境に位置する羽金山の標準電波送信所から周波数６０ｋＨｚの標準電波を用いて送信された標準時刻信号に応じて、いわゆる帰零などを行い、時刻の修正を行う機能を有する自動修正時計が知られている。
【０００３】
ところで、上述した自動修正時計では、標準電波を受信した際に、受信した時刻コードに基づいて、時刻を一度に修正する。そして、時刻を修正した後は、時計に内蔵されている水晶振動子の振動に基づいて計時を行い、時刻表示を行う。
【発明が解決しようとする課題】
【０００４】
しかし、上述した自動修正時計では、たとえば、単純に１時間ごとに標準電波を受信し全て受信に成功すれば、さほど表示時刻の精度に問題は出ないが、標準電波を受信した後には、内蔵している水晶振動子の振動に応じて計時を行うために、表示時刻に誤差が生じるという問題点がある。また、電池の寿命や標準電波の受信環境等も表示時刻の精度に影響を与える。
ここで、一般的な水晶時計においては、一月あたり±２０秒程度の誤差が生じ、単純計算では一日あたり±０．６６秒誤差が生じることになる。
【０００５】
また、上述した自動修正時計においては、標準電波が受信しやすいのは主に夜間であり、このためユーザが主に使用する昼間においては、受信状態やノイズ等により標準電波が受信できない場合が多い。その結果、上述の自動修正時計においては、内蔵されている水晶の精度による計時となり、表示時刻の誤差が生じやすいという問題がある。さらには、「電波時計」のイメージの低下を招く可能性がある。
【０００６】
本発明は、かかる事情に鑑みてなされたものであり、その目的は、標準電波を受信した後の水晶精度で時刻表示を行っている場合であっても、正確な時刻を表示可能な自動修正時計を提供することある。
【０００７】
【課題を解決するための手段】
前記目的を達成するために、本発明の自動修正時計は、内部時計を有し、標準電波局から送信される標準時刻信号を受信して、前記内部時計を修正し、かつ前記内部時計に応じて時刻表示を行う自動修正時計であって、前記標準電波局から送信された標準時刻信号に応じて前記内部時計を修正し、あらかじめ定められた時間内にさらに受信した標準時刻信号に応じた時刻と、前記内部時計が計時する現時刻との誤差を求め、前記内部時計の誤差に応じて、所定の時間当たりの内部時計に対する補正量を求め、補正量に基づいて、所定の時間内における補正回数及び補正時刻を決定し、前記決定された補正時刻に、前記求められた補正量に応じて前記内部時計を修正し、前回標準電波が正常に受信された時刻から現時刻までの時間が所定時間内と判別された場合は、前記内部時計を修正する補正量を求め、所定時間外で該所定時間よりも短いと判別された場合は補正量がそのまま保持され、該所定時間よりも長いと判別された場合は補正量が０にされる制御回路を有する。
【００１５】
本発明によれば、内部時計を有し、標準電波局から送信される標準時刻信号を受信して、前記内部時計を修正し、かつ前記内部時計に応じて時刻表示を行う。
【００１６】
この際、制御回路では、標準電波局から送信された標準時刻信号に応じた時刻と、内部時計が計時する現時刻との誤差を修正し、所定の時間経過した後に、さらに標準電波局から送信された標準時刻信号に応じて、内部時計が計時する現時刻との誤差を求める。その内部時計の誤差に応じて、所定の時間当たりの補正量を求める。
【００１７】
記憶手段では、補正量と、内部時計を補正すべき補正時刻および補正回数を対応付ける変換情報が記憶されている。
また、変換情報には、補正量に応じて補正時間が所定の時間内に略平均的に割り振られて設定されている。
制御回路では、変換情報および補正量に応じて、所定の時間内に、補正量に応じた回数の補正時刻が決定される。
制御回路では、補正時刻に、補正量に応じて内部時計が修正され、内部時計に応じて時刻表示が行われる。
【００１８】
また、制御回路では、所定の時間よりも短い時間経過して、標準時刻信号を受信した場合には、内部時計の補正量を求めない。
また、制御回路では、第２の所定の時間よりも長い時間経過して、標準時刻信号を受信した場合には、内部時計の補正量を０にセットする。
【００１９】
【発明の実施の形態】
図１は、本発明の自動修正時計に係る一実施の形態を説明するための概略図である。
【００２０】
本実施の形態に係る自動修正時計１は、図１に示すように、たとえば、基地局（標準電波局）２から周波数４０ｋＨｚまたは６０ｋＨｚで送信された標準電波を受信し、標準電波に含まれる標準時刻信号である標準時刻コードに基づいて時刻の修正を行う。
【００２１】
図２は本発明に係る自動修正時計の信号処理系回路の一実施の形態を示すブロック図、図３は本発明に係る自動修正時計の指針位置検出装置の一実施の形態の全体構成を示す図、図４は本発明に係る自動修正時計の指針位置検出装置の要部の平面図である。
【００２２】
図において、１０は信号処理系回路、１１は標準電波信号受信系、１２はスイッチ群、１３は発振回路、１４はメモリ、１５は制御回路、１６はドライブ回路、１７は警告手段および報知手段としての発光素子、１８はバッファ回路、１９はドライブ回路、２０は液晶表示パネル（ディスプレイとも言う）、Ｖccは電源電圧、Ｃ1 からＣ3 はキャパシタ、Ｒ1 からＲ5 は抵抗素子、１００は時計本体、１２０は秒針を駆動する秒針駆動部としての第１駆動系、１３０は指針である分針および時針を駆動する時分針駆動部としての第２駆動系、１４０は光透過型光検出センサ、１５０は利用者が手により直接時刻合わせを行う手動修正系をそれぞれ示している。
【００２３】
なお、バッファ回路１８、第１駆動系１２０および第２駆動系１３０により指針駆動手段が構成され、制御回路１５、ドライブ回路１９、光透過型光検出センサ１４０、第１駆動系１２０および第２駆動系１３０により指針位置検出手段が構成される。
【００２４】
また、液晶表示パネル２０は、図５に示すように、文字盤２０１の略中央の指針軸より下側（６時側）に設けられている。液晶表示パネル２０は、制御回路１５による制御により時刻、曜日およびカレンダー等をデジタルで表示可能である。
発光素子１７は、たとえば図５に示すように、文字盤２０１下側である６時表示部の近傍に設けられている。
また、図５において、２０２は秒針、２０３は分針、２０４は時針をそれぞれ示している。
【００２５】
標準電波信号受信系１１は、受信アンテナ１１ａと、たとえば基地局２から送信された標準時刻信号を含む標準時刻電波Ｓ１を受信し、所定の処理を行いパルス信号Ｓ１１として制御回路１５に出力する長波受信回路１１ｂとから構成されている。
この長波受信回路１１ｂは、たとえば不図示のＲＦアンプ、検波回路、整流回路、および積分回路とから構成されている。
【００２６】
なお、標準電波信号受信系１１で受信される、日本標準時を高精度で伝える長波の標準電波は、図６（ａ）に示すような形態で送られてくる。
【００２７】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００２８】
そして、受信状態が良好な場合には、標準電波信号受信系１１からは図６（ｂ）に示すように、標準電波信号に応じたパルス信号として信号Ｓ１１が、制御回路１５に出力される。
【００２９】
次に、長波標準電波の送信データについて説明する。
図７は、標準時刻電波信号の時刻コードの一例を示している。
【００３０】
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００３１】
日本の標準電波は以前（実験局当時）の時刻コードである分コードおよび時コード、ならびに累積コードである積算日コードの送信データに加え、年下２桁、曜日コード、分パリティコード、時パリティコード、サマータイム導入の際に使用予定である予備ビット、うるう秒が追加された（図７（ｂ）参照）。図７に示すように、たとえば、毎時１５分から４５分以外の場合には、分コードは１から９秒、時コードは１２から１９秒、積算日コードは２２から３４秒、年コードは４１から４９秒、曜日コードは５１から５３秒に送信される。
以下、上述した新設された情報のうち、特に予備ビット、うるう秒情報、停波情報について説明する。
【００３２】
予備ビットは表１に示される如く、ＳＵ１、ＳＵ２を使用する。これらは将来の情報拡張のために用意されたものである。サマータイム情報でこのビットが活用されるときは、ＳＵ１＝ＳＵ２＝０では「６日以内に夏時間への変更無し」、ＳＵ１＝１・ＳＵ２＝０では「６日以内に夏時間への変更あり」、ＳＵ１＝０・ＳＵ２＝１では「夏時間実施中」、ＳＵ１＝ＳＵ２＝１では「６日以内に夏時間終了」となるような情報形態となっている。夏時間への切り換わりについては日本ではまだサマータイムが導入されておらず、未だ不明の状態であるが欧州のサマータイムの切り替わりをみると、夜中のうちに行っている場合が多い。
【００３３】
【表１】
0003820141.tif 000002
【００３４】
次にうるう秒は表２に示される如く、ＬＳ１、ＬＳ２の２ビットを使用し、ＬＳ１＝ＬＳ２＝０では、「１ヶ月以内にうるう秒の補正を行わない」、ＬＳ１＝１・ＬＳ２＝０では「１ヶ月以内に負のうるう秒（削除）あり」つまり１分間が５９秒となり、ＬＳ１＝ＬＳ２＝１では「１ヶ月以内に正のうるう秒（挿入）あり」つまり１分間が６１秒となるような情報形態となっている。うるう秒の補正のタイミングは既に決められており、ＵＴＣ時刻の１月１日もしくは７月１日の直前に行われることになっている。よって、日本時間（ＪＴＣ）では１月１日もしくは７月１日午前９：００直前に行われることになる。
【００３５】
【表２】
0003820141.tif 000003
【００３６】
停波情報は表３の（ａ）、（ｂ）、（ｃ）に示される如く、ＳＴ１、ＳＴ２、ＳＴ３、ＳＴ４、ＳＴ５、ＳＴ６を使用し、ＳＴ１・ＳＴ２・ＳＴ３で停波開始予告、ＳＴ４で停波時間帯予告、ＳＴ５・ＳＴ６で停波期間予告の停波情報を提供する。まず停波開始予告について説明すると、ＳＴ１＝ＳＴ２＝ＳＴ３＝０では「停波予定無し」、ＳＴ１＝ＳＴ２＝０・ＳＴ３＝１では「７日以内に停波」、ＳＴ１＝０・ＳＴ２＝１・ＳＴ３＝０では「３から６日以内に停波」、ＳＴ１＝０・ＳＴ２＝ＳＴ３＝１では「２日以内に停波」、ＳＴ１＝１・ＳＴ２＝ＳＴ３＝０では「２４時間以内に停波」、ＳＴ１＝１・ＳＴ２＝０・ＳＴ３＝１では「１２時間以内に停波」、ＳＴ１＝ＳＴ２＝１・ＳＴ３＝０では「２時間以内に停波」となっている。次に停波時間帯予告は、ＳＴ４＝１では「昼間のみ」、ＳＴ４＝０では「終日、または停波予定無し」である。次に停波期間予告は、ＳＴ５＝ＳＴ６＝０では「停波予定無し」、ＳＴ５＝０・ＳＴ６＝１では「７日以上停波、または期間不明」、ＳＴ５＝１・ＳＴ６＝０では「２から６日以内で停波」、ＳＴ５＝ＳＴ６＝１では「２日未満で停波」となっている。
【００３７】
【表３】
0003820141.tif 000004
【００３８】
以上、独立行政法人通信総合研究所（ＣＲＬ：Communications  Research  Laboratory）が運用管理している長波の標準時刻情報を含む電波による送信情報について詳述した如く、標準時刻情報以外に予備ビットによる情報、うるう秒情報、停波情報も送信情報に含まれる。
【００３９】
スイッチ群１２は、リセットスイッチ１２−１、および修正スイッチ１２−２を有する。
リセットスイッチ１２−１は、初期状態に戻す際にオンされ、制御回路１５ではリセットスイッチ１２−１がオンされた場合には各設定を初期状態に戻す。
修正スイッチ１２−２は、標準電波を強制受信させて時刻を修正させる際にオンされ、制御回路１５では、修正スイッチ１２−２がオンされると修正動作を行う。
【００４０】
発振回路１３は、水晶発振器ＣＲＹおよびキャパシタＣ2 ，Ｃ3 により構成され、所定周波数の基本クロックを制御回路１５に供給する。発振回路１３は、たとえば、周波数３２７６８Ｈｚの基本クロックを制御回路１５に出力する。
【００４１】
図８は、図２に示したメモリおよび制御回路の機能を模式的に示す図である。
【００４２】
メモリ１４は、図８に示すように、補正量１４ａ、および変換情報である補正時刻変換表１４ｂ、不図示の所望の機能を有するプログラムや各種変数等を有する。
【００４３】
補正量１４ａは、後述するように、制御回路１５の内部時計１５ａと、標準電波に含まれる標準電波信号との誤差に基づいて算出された、２４時間当たりの誤差である。たとえば、以下に示す数式１により算出される。
【００４４】
【数１】
補正量＝誤差［（１／６４）秒を一単位］×２４［Ｈ］÷（前回の標準電波が正常に受信された時刻から今回の正常受信までの経過時間）［Ｈ］
【００４５】
補正時刻変換表１４ｂは、補正量１４ａに応じて、所定の時間内に、内部時計１５ａの補正すべき補正時刻および補正回数を対応付ける表であり、たとえば、補正時間は２４時間のうちに、略平均的に割りあてられて設定されている。
また、補正時刻変換表１４ｂでは、補正量の絶対値が大きいほど、補正回数が多くなるように設定されている。つまり、補正量の絶対値が大きいほど、補正時刻の数が多く設定されている。
【００４６】
また、補正時刻変換表１４ｂでは、補正時刻は、所定の間隔になるように設定されていることが望ましい。これは、内部時計１５ａの補正を一度に行わずに、少量ずつ、補正量に応じた回数で、なるべく所定の時間内で平均的になるように補正を行うためである。
制御回路１５は、この補正時刻変換表１４ｂを用いて、内部時計１５ａの現時刻および補正量１４ａにより、補正時刻であるか否かを判別することができる。
【００４７】
補正時刻変換表１４ｂは、たとえば、表４に示すように、横の行が補正すべき時間の分桁、縦の列が補正すべき時間の時桁を示している。具体的には、補正時刻変換表１４ｂは、補正量１４ａが（１／６４）秒を一単位として±１の場合には、１４時００分に補正時刻が設定される。また、補正量１４ａが±２の場合には、１４時００分および２時００分に補正時刻が設定される。また、たとえば、補正量１４ａが±５の場合には、１４時００分、２時００分、２０時００分、８時００分、１７時００分と、所定の間隔をおいて補正時刻が設定される。
【００４８】
【表４】
0003820141.tif 000005
【００４９】
後述するように、制御回路１５は、内部時計１５ａで示される時刻と、補正時刻変換表１４ｂから変換数値を求める。
制御回路１５は、後述の数式２を満たす場合に、つまり、補正時刻変換表１４ｂと内部時計１５ａの現時刻により求められた変換数値と、補正量１４ａの絶対値とを比較し、補正量１４ａの絶対値が変換数値以上になった時刻の場合には、内部時計１５ａの補正時刻動作を行う。
【００５０】
【数２】
変換数値≦｜補正量｜
【００５１】
具体的には、制御回路１４は、たとえば、補正量＋１の場合、時刻が１４時００分になると、補正時刻変換表１４ｂから、変換数値１を導出し、補正量＋１の絶対値と同一となるので、補正時刻と判別する。１５時００分では、補正時刻変換表１４ｂから、変換数値１１を導出し、補正量＋１の絶対値よりも大きいので、補正時刻ではないと判別する。
【００５２】
同様に、たとえば、制御回路１４は、補正量が−２の場合には、時刻が２時００分になると、補正時刻変換表１４ｂから、変換数値２を導出し、補正量−２の絶対値と同一となるので、補正時刻と判別する。また、時刻が１４時００分になると、補正時刻変換表１４ｂから、変換数値１を導出し、補正量−２の絶対値よりも小さいので、補正時刻であると判別する。
【００５３】
制御回路１５は、図８に示すように、内部時計１５ａと、カウンタ１５ｂを有している。
【００５４】
内部時計１５ａは、たとえば、時針カウンタ、分針カウンタ、秒針カウンタ、１／６４秒カウンタ等を含む。
カウンタ１５ｂは、たとえば、発振回路１３により発振される、周波数３２７６８Ｈｚの基本クロックに応じて、たとえば、６４Ｈｚをカウントすると、内部時計１５ａに１／６４秒だけカウントアップする。
【００５５】
また、制御回路１５は、たとえば初期修正モード時には、初期設定を行い、標準電波信号受信系１１によるパルス信号Ｓ１１を受けて、受信した標準電波信号の受信状態があらかじめ決められた基準範囲と比較し、受信状態が基準範囲内にある場合には、第１および第２の制御信号ＣＴＬ１ ，ＣＴＬ2 をバッファ回路１８を介して、秒針駆動系としてのステッピングモータ１２１に出力して指針位置検出（初期設定）を行い、受信状態が基準範囲にない場合には、第１および第２の制御信号ＣＴＬ1 ，ＣＴＬ2 を出力せずに、ドライブ信号ＤＲ1 をドライブ回路１６に出力して、報知手段としての発光素子１７を発光させてユーザに標準電波信号がほとんど受信できない旨を報知させる。
【００５６】
そして、受信状態が基準範囲内にある場合に初期設定を行わせた後、受信した電波信号をデコードし、デコードの結果、時刻化が可能である場合には、発振回路１３による基本クロックに基づいて各種カウンタのカウント制御並びに光検出センサによる検出信号ＤＴ1 の入力レベルに応じて、制御信号ＣＴＬ1 ，ＣＴＬ2 をバッファ回路１８を介して秒針用のステッピングモータ１２１および時分針用のステッピングモータ１３１に出力して回転制御を行うことにより早送り時刻制御を行う。
【００５７】
また、制御回路１５は、標準時刻コードに含まれる積算日コードおよび年コードから曜日を計算し、計算された曜日、および時刻を液晶表示パネル２０に表示させる。
一方、デコードの結果、時刻化が不可能である場合には、制御信号ＣＴＬ1 ，ＣＴＬ2 を出力せずに、ドライブ信号ＤＲ1 をドライブ回路１６に出力して、報知手段としての発光素子１７を発光させてユーザに電波受信が良好でない旨を報知させる。そして、上述したように、指針位置検出処理を行い、指針を早送りして、時刻カウンタに基づいて時刻の修正を行う。
【００５８】
これにより、初期修正モードの動作を完了させる。
【００５９】
また、制御回路１５では、修正モードの動作を完了させた後、通常修正モード制御を行う。
通常修正モードにおいては、初期修正モードの時の初期設定動作後とほぼ同様の動作を行う。
【００６０】
具体的には、制御回路１５では、あらかじめ定められた時刻、たとえば、午前２時１６分４０秒に長波受信回路１１ｂで受信した電波信号をデコードし、デコードの結果、時刻化が可能である場合には、発振回路１３による基本クロックに基づいて各種カウンタのカウント制御ならびに光検出センサ１４０による検出信号ＤＴ1 の入力レベルに応じて制御信号ＣＴＬ1,ＣＴＬ2 をバッファ回路１８を介して秒針用ステッピングモータ１２１および時分針用のステッピングモータ１３１に出力して回転制御を行うことにより早送り時刻修正制御を行う。
【００６１】
一方、デコード結果、時刻化が不可能である場合には、制御信号ＣＴＬ1,ＣＴＬ2 を出力せずに、ドライブ信号ＤＲ1 をドライブ回路１６に出力して、発光素子１６を消灯させてユーザに電波受信が良好でない旨を報知させる。
【００６２】
具体的には、制御回路１５は、受信状態の良否の判別結果に応じた第２の制御信号としてのドライブ信号ＤＲ1 を出力し、受信状態に応じた発光素子１７の点滅（発光）または消灯の制御を行う。
制御回路１５は、上記受信確認モードスイッチ２３がオフの場合には、受信良好時にはドライブ信号ＤＲ1 を出力して発光素子１７の点滅（発光）動作を行わせ、受信不良時には、ドライブ信号ＤＲ1 を出力して発光素子１７を消灯させる。また、受信確認モードスイッチ２３がオンの場合には、受信確認スイッチ２１がオン（入力）された時のみ、受信状態に応じた発光素子１７の点滅（発光）または消灯の制御を行う。
【００６３】
また、制御回路１５では、内部時計１５ａの補正を行う。
制御回路１５では、内部時計１５ａの誤差を検出可能な量まで累積させるために、あらかじめ定められたタイミングで、たとえば、１回／日（固定時間）、より具体的には、上述したように午前２時１６分４０秒に、標準電波を定期的に受信する。
【００６４】
制御回路１５では、たとえば、強制受信や修正スイッチ１２−２による修正動作により受信間隔が短くなった場合に備え、２度目の受信まで１２時間以上経過していることを、誤差を求める条件として受信を行う。これは誤差の累積と受信精度（秒同期誤差、電波状態変化による受信回路遅延時間変化等）による影響を抑え、２４時間当たりの補正量を、より正確に求めるためである。
【００６５】
また、制御回路１５では、２度目以降の標準電波を受信の際、長波受信回路１１ｂで受信された標準時刻信号に基づいて、内部時計１５ａの誤差を算出する。ここで、誤差は、所望の単位、たとえば、（１／６４）秒の単位で測定可能である。
【００６６】
制御回路１５では、誤差を算出する際に、正常に標準電波が受信された受信経過時間として、所定の時間内、たとえば、１２から１６８時間とする。これは、上述したように誤差を検出可能な量まで累積させるための時間が必要であるためと、長時間、たとえば１週間程度、標準電波が受信できない場合には、誤差の信頼性が低下するためである。
【００６７】
また、制御回路１５では、求められた誤差を用いて、上述した数式１に従って補正量を算出する。そして制御回路１５では、算出された補正量をメモリ１４に記憶させる。
【００６８】
制御回路１５では、メモリ１４に記憶されている補正時刻変換表１４ｂと、内部時計１５ａの現時点の時刻から、変換数値を求め、その変換数値が、先に求めた補正量の絶対値よりも小さい場合には、内部時計１５ａおよび指針による表示時刻の修正を行う。
【００６９】
制御回路１５では、補正時刻と判別した場合には、カウンタ１５ｂにより内部時計１５ａに通常は（１／６４）秒を一単位として、＋１の計時を行うのに対して、補正量に応じて、たとえば、補正量がプラスの場合には０だけ計時、つまり加算しない。
一方、制御回路１５は、たとえば、補正量がマイナスの場合には、（１／６４）秒を一単位として＋２の計時を行う。こうすることで、制御回路１５は、内部時計１５ａに対して、±１／６４秒の補正を行うことができる。
【００７０】
なお、上記の説明では、受信状態が基準範囲外にあると判別するときは、電波が弱かったり、ノイズが多いときである。
電波が非常に弱い場合には、図６（ｃ）に示すように、数個の信号分、ローレベル（Ｌ）かハイレベル（Ｈ）のままになる。
また、ノイズが多いときは、時刻電波と無関係にレベルが変化する。
これらの状態にある信号Ｓ１１を、たとえば１０秒に２回あるいはそれ以上受けたときには、受信状態が基準範囲外にあると判別する。
具体的には、たとえば１０秒程度を検出時間として、時間内においてレベルの変化が１秒以内に検出されなかったときおよび検出したパルス幅が０．８、０．５、０．２秒付近でなかったときをＮＧとして、ＮＧが２回以上発生したときには受信不可能と判断する。
そして、上述したように、指針位置検出処理を行い、指針を早送りして、時刻カウンタに基づいて時刻の修正を行う。
【００７１】
ドライブ回路１６は、ｐｎｐ型トランジスタＱ1 および抵抗素子Ｒ1 ，Ｒ2 により構成されている。
トランジスタＱ1 のベースが抵抗素子Ｒ1 を介して制御回路１５のドライブ信号ＤＲ1 の出力ラインに接続され、コレクタが抵抗素子Ｒ2 を介して発光ダイオードからなる発光素子１７のアノードに接続され、エミッタが電源電圧Ｖccの供給ラインに接続されている。そして、発光素子１７のカソードが接地されている。
すなわち、発光素子１７は、制御回路１５からローレベルのドライブ信号ＤＲ1 が出力されたときに発光するようにドライブ回路１６に接続されている。
また、発光素子１７は、制御回路１５から一定の間隔で出力されたドライブ信号ＤＲ1 に応じて、点滅を行い警告を行う。
【００７２】
また、ドライブ回路１９は、ｐｎｐ型トランジスタＱ2 、および抵抗素子Ｒ3 ，Ｒ4 により構成されている。
トランジスタＱ2 のエミッタは電源電圧Ｖccの供給ラインに接続され、ベースは抵抗素子Ｒ3 を介して制御回路１５のドライブ信号ＤＲ2 の出力ラインに接続され、コレクタは抵抗素子Ｒ4 を介して光検出センサ１４０に接続されている。ドライブ回路１９は、制御回路１５からドライブ信号ＤＲ2 が出力された場合に、光検出センサに電力を供給する。
【００７３】
次に、自動修正時計のムーブメントおよび指針位置検出系の具体的な構成について、図３、図４、図９〜図１７に関連付けて説明する。
【００７４】
時計本体１００は、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系１２０、第２駆動系１３０、光検出センサ１４０、手動修正系１５０等が固定あるいは軸支されている。
【００７５】
第１駆動系１２０は、図３、図４および図９に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用ステッピングモータ１２１と、ロータ１２１ｃのピニオン１２１Ｃ’に大径歯車１２２ａが噛合した第１伝達歯車（第１検出用歯車）としての第１の５番車１２２と、この第１の５番車１２２の小型歯車１２２ｂに噛合した第２検出用歯車（第１指針車）としての秒針車１２３とにより構成されている。
ここで、秒針用ステッピングモータ１２１は、ステータ１２１ａが中板１１３に載置して固定され、ロータ１２１ｃが中板１１３と上ケース１１２とに軸支されており、制御回路１５の出力制御信号ＣＴＬ1 に基づいて、その回転方向、回転角度、および回転速度が制御される。
【００７６】
第１の５番車１２２は、大径歯車１２２ａの歯数が６０個、小径歯車１２２ｂの歯数が１５個に形成され、中板１１３および上ケース１１２に回動自在に軸支され、その大径歯車１２２ａが秒針用ステッピングモータ１２１のロータ１２１ｃ（ピニオン１２１ｃ’）と噛合して、ロータ１２１ｃの回転速度を所定速度に減速させる。この第１の５番車１２２には、図１１および図１３に示すように、秒針車１２３と重なる領域において周方向に等間隔（中心角α１が１２０°）で配置された３個の円形状をなす透孔１２２ｃが形成されている。この透孔１２２ｃは、光検出センサ１４０の検出光を通過させるだけでなく、少なくともその１つは、第１の５番車１２２を組付ける際の位置決め孔（度決め孔）として用いられるものである。
【００７７】
秒針車１２３は、大径歯車１２３ａの歯数が６０個に形成され、その軸部の一端が上ケース１１２に軸支され、中板１１３を下ケース１１１側に貫通したその他端側には秒針軸１２３ｂが圧入されており、この秒針軸１２３ｂは、後述する分針パイプ１３４ｐの内側に挿通されて、その先端に秒針２０２が取り付けられている。この秒針車１２３には、図１２に示すように、回転により第１の５番車１２２と重なる領域において周方向に等間隔（中心角α２が３０°）で配置された１１個の円形状をなす透孔１２３ｃと、一箇所だけピッチの異なる位置決め遮光部１２３ｄ（透孔１２３ｃと透孔１２３ｃとの中心角が６０°）とが形成されている。そして、上記第１の５番車１２２の透孔１２２ｃが位置決め遮光部１２３ｄに対向した後に最初に透孔１２３ｃと対向する時に、秒針が正時を指すように構成されている。
【００７８】
透孔１２３ｃは、光検出センサ１４０の検出光を通過させるだけでなく、少なくともその１つは、秒針車１２３を組付ける際の位置決め孔（度決め孔）として用いられるものである。
また、これらの透孔１２３ｃの内側には、周方向に長尺で回転軸方向に突出する円弧状の付勢ばね１２３ｅが、切り欠き孔１２３ｆにより画定されている。この円弧状付勢ばね１２３ｅは、秒針車１２３をその回転軸方向に付勢するものである。
【００７９】
ここで、位置決め遮光部１２３ｄは、周方向において切り欠き孔１２３ｆから離れた位置、すなわち、２つの切り欠き孔１２３ｆが途切れて離れた領域に形成されている。したがって、切り欠き孔１２３ｆと位置決め遮光部１２３ｄとの距離を十分確保できるため、位置決め遮光部１２３ｄの領域において検出光が切り欠き孔１２３ｆに回り込むようなことはなく、確実にこの位置決め遮光部１２３ｄで検出光を遮ることができる。すなわち、検出光の回り込みによる誤検出を生じ易い切り欠き孔１２３ｆを設けた領域から離れた位置に位置決め遮光部１２３ｄが形成されていることから、この位置決め遮光部１２３ｄを秒針車１２２の回転角度位置の位置決めに用いることで、確実な位置決めを行うことができる。
【００８０】
秒針車１２３においては、図１２に示すように、複数（１１個）の透孔１２３ｃを設ける代わりに、図１３に示すように、位置決め遮光部１２３ｄと径方向において対向する位置にある透孔１２３ｃのみを残して、その他の透孔１２３ｃをそれぞれ切り欠き孔１２３ｇと一体的に開けてもよい。これによれば、検出光の通過を許容する部分において、検出光の通過をより一層確実なものとし、また、秒針車１２３を形成する材料の無駄を低減することができる。
【００８１】
第２駆動系１３０は、図３、図４、および図１０に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分針用ステッピングモータ１３１とロータ１３１ｃのピニオン１３１ｃ’に大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
ここで、時分針用ステッピングモータ１３１は、ステータ１３１ａが中板１１３に載置して固定され、ロータ１３１ｃが中板１１３と上ケース１１２とに軸支されており、制御回路の出力制御信号に基づいて、その回転方向、回転角度、および回転速度が制御される。
【００８２】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用ステッピングモータ１３１のロータ１３１ｃ（ピニオン１３１ｃ’）と噛合して、ロータ１３１ｃの回転速度を所定速度に減速させる。なお、この第２の５番車１３２としては、前述の第１の５番車１２２を流用、すなわち、透孔１２２ｃが設けられたものを用いてもよい。これにより、部品の共用化が行え製品のコストを低減することができる。
【００８３】
３番車１３３は、大径歯車１３３ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。また、３番車１３３には、図１４に示すように、回転により秒針車１２３および第１の５番車１２２と重なる領域において周方向に等間隔（中心角α３が３６°）で配置された１０個の円形状をなす透孔１３３ｃが形成されている。この透孔１３３ｃは、光検出センサ１４０の検出光を通過させるだけでなく、少なくともその１つは、３番車１３３を組付ける際の位置決め孔（度決め孔）として用いられるものである。
【００８４】
分針車１３４は、大径歯車１３４ａの歯数が６０個、小径歯車１３４ｂの歯数が１４個に形成され、その中央部には小径歯車１３４ｂが一体的に形成された分針パイプ１３４ｐが、側面視にて略Ｔ字形状をなすように形成されている。そして、分針パイプ１３４ｐの一端部が中板１１３に回動自在に軸支され、他端側の軸部は後述する時針車１３６の時針パイプ１３６ｐの内部に回動自在に挿通されている。また、分針パイプ１３４ｐは、下ケース１１１を貫通して時計の文字盤２０１側に突出しており、その先端には分針２０３が取り付けられている。
【００８５】
また、分針車１３４には、図１５に示すように、回転により秒針車１２３，第１の５番車１２２，３番車１３３と重なる領域において周方向に長尺な３個の円弧状透孔１３４ｃ，１３４ｄ，１３４ｅが形成されている。これら円弧状透孔１３４ｄと円弧状透孔１３４ｃとは、中心角α５で３０°隔てて形成され、円弧状透孔１３４ｄと円弧状透孔１３４ｅとは、中心角α６で３０°隔てて形成され、また、円弧状透孔１３４ｅと円弧状透孔１３４ｃとは、中心角α７で６０°隔てて形成されている。すなわち、円弧状透孔１３４ｅと円弧状透孔１３４ｃとの間に、最も幅の広い遮光部Ａが形成され、円弧状透孔１３４ｃと円弧状透孔１３４ｄとの間および円弧状透孔１３４ｄと円弧状透孔１３４ｅとの間に、上記遮光部Ａよりも幅狭の遮光部Ｂが形成されている。
【００８６】
また、円弧状透孔１３４ｃは、一端側の円形部１３４ｃ’と、他端側から伸びる幅広円弧部１３４ｃ’’と、両者を連結する幅狭円弧部１３４ｃ’’’とにより形成されている。この幅狭円弧部１３４ｃ’’’により画定される円形部１３４ｃ’は、検出光を通過させるだけでなく、分針車１３４を組み付ける際の位置決め孔（度決め孔）として用いられるものである。
【００８７】
時針車１３６は、大型歯車１３６ａの歯数が４０個に形成され、その中央部に円筒状の時針パイプ１３６ｐが一体的に取り付けられており、この時針パイプ１３６ｐの内部に前述の分針パイプ１３４ｐが挿通されている。そして、時針パイプ１３６ｐは、下ケース１１１に形成された軸受け孔１１１ａに挿通されて回動自在に軸支されており、また、その先端側は下ケース１１１を貫通して時計の文字盤２０１側に突出しており、その先端には時針２０４が取り付けられている。
【００８８】
また、時針車１３６には、図１６に示すように、回転により秒針車１２３，第１の５番車１２２，３番車１３３，分針車１３４と重なる領域において周方向に長尺な３個の円弧状透孔１３６ｃ，１３６ｄ，１３６ｅが形成されている。これら円弧状透孔１３６ｃと円弧状透孔１３６ｄとは、中心角α８で４５°隔てて形成され、円弧状透孔１３６ｄと円弧状透孔１３６ｅとは、中心角α９で６０°隔てて形成され、また、円弧状透孔１３６ｅと円弧状透孔１３６ｃとは、中心角α１０で３０°隔てて形成されており、さらに、円弧状透孔１３６ｃ，１３６ｄ，１３６ｅの長さは、中心角β１＋β２，β３，β４がそれぞれ７５°，６０°，９０°となるように設定されている。すなわち、円弧状透孔１３６ｅと円弧状透孔１３６ｃとの間に、最も幅の狭い遮光部Ｃが形成され、円弧状透孔１３６ｃと円弧状透孔１３６ｄとの間に、遮光部Ｃよりも幅の広い遮光部Ｄが形成され、円弧状透孔１３６ｄと円弧状透孔１３６ｅとの間に、遮光部Ｄよりも幅の広い遮光部Ｅが形成されている。
【００８９】
また、円弧状透孔１３６ｃは、一端側から中心角β１で７．５°のところに位置する円形部１３６ｃ’と、他端側から伸びる幅広円弧部１３６ｃ’’と、両者を連結すると共に円形部１３６ｃ’の両側に位置する幅狭円弧部１３６ｃ’’’とにより形成されている。この幅狭円弧部１３６ｃ’’’により画定される円形部１３６ｃ’は、検出光を通過させるだけでなく、時針車１３６を組み付ける際の位置決め孔（度決め孔）として用いられるものである。
【００９０】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプ１３４ｐに形成された小径歯車１３４ｂに噛合し、また、小径歯車１３５ｂが時針車１３６（１３６ａ）に噛合して、分針車１３４の回転を減速して時針車１３６に伝達する。
【００９１】
光検出センサ１４０は、図３に示すように、上ケース１１２の壁面に固定された回路基板１４１に取付けられた発光ダイオードからなる発光素子１４２と、この発光素子１４２に対向するように、下ケース１１１の壁面に固定された回路基板１４３に取付けられたフォトトランジスタからなる受光素子１４４とにより形成されている。
そして、発光素子１４２のアノードは一端がｐｎｐトランジスタＱ2 のコレクタに接続されたドライブ回路１９における抵抗素子Ｒ4 の他端に接続され、カソードは、接地されるとともに、受光素子１４４のエミッタに接続されている。
受光素子１４４のコレクタは、制御回路１５に接続されている。この制御回路との接続ラインは、検出信号ＤＴ1 の制御回路１５への出力ラインとなっており、この出力ラインは、抵抗素子Ｒ5 を介して電源電圧Ｖccの供給ラインに接続されている。
ドライブ回路１９のトランジスタＱ2 のエミッタは電源電圧Ｖccの供給ラインに接続され、ベースは抵抗素子Ｒ3 を介してドライブ信号ＤＲ2 の出力ラインに接続されている。
すなわち、発光素子１４２は、制御回路１５からローレベルのドライブ信号ＤＲ2 が出力されたとき発光するようにドライブ回路１９に接続されている。
【００９２】
また、図４に示すように、平面視にて第１の５番車１２２、秒針車１２３、３番車１３３、分針車１３４、時針車１３６の全てが同時に重なる位置に配置されている。そして、第１の５番車１２２の透孔１２２ｃ、３番車１３３の透孔１３３ｃ、秒針車１２３の透孔１２３ｃ、分針車１３４の透孔１３４ｃ（１３４ｄ、１３４ｅ）、時針車１３６の透孔１３６ｃ（１３６ｄ、１３６ｅ）が重なり合った時に、発光素子１４２から発せられた検出光が受光素子１４４により受光されて、秒針、分針、時針が正時等の位置を指していることを出力するようになっている。
【００９３】
さらに、発光素子１４２は、上ケース１１２の外側に開口するように形成された第１配置部としての取付け凹部１１２ｃ内に配置されており、この取付け凹部１１２ｃの底面には、所定径の円形貫通孔１１２ｄが開けられている。この円形貫通孔１１２ｄは、発光素子１４２から発せられる検出光が末広がり状に広がる性質があるため、その広がった部分の光を遮断して収束された光のみを通過させて誤検出を防止できるようにするものである。
同様に、受光素子１４４は、下ケース１１１の外側に開口するように形成された第２配置部としての取付け凹部１１１ｃ内に配置されており、この取付け凹部１１１ｃの底面には、所定径の円形貫通孔１１１ｄが開けられている。この円形貫通孔１１１ｄは、発光素子１４２から発せられ、上記透孔を通過してきた光のみをできるだけ通過させて誤検出を防止できるようにするものである。
【００９４】
第１の５番車１２２、３番車１３３、秒針車１２３、分針車１３４、時針車１３６を取付ける場合は、所定の位置決めピンが、下ケース１１１の円形貫通孔１１１ｄ、位置決めとして用いられるそれぞれの透孔、および上ケース１１２の円形貫通孔１１２ｄを貫くように、順次に組付ける。そして、上ケース１１２および下ケース１１１を接合して一体化した後、位置決めピンを引き抜いて、貫通孔１１２ｄが位置する取付け凹部１１２ｃに発光素子１４２を取付け、また、貫通孔１１１ｄが位置する取付け凹部１１２ｃに受光素子１４４を取付ける。
【００９５】
これにより、貫通孔１１２ｄおよび１１１ｄは完全に塞がれ、上ケース１１２および下ケース１１１により画定される内部空間に外部の光が侵入するのを防止できる。したがって、外部の光が侵入することによる誤検出を防止できると共に、組付け時の位置決め孔と光検出用の透孔とを兼用していることから、これらの孔を別々に設ける場合にくらべて装置の集約化、小型化を行うことができる。
【００９６】
手動修正系１５０は、図３および図４に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【００９７】
手動修正軸１５１は、分針車１３４と同位相で回転するように構成されており、上述の第２駆動系１３０により分針車１３４が駆動されているときには日の裏車１３５を介して分針車１３４と同位相で回転するとともに、第２駆動系１３０の非作動時には、頭部１５１ｂを指で回転させることにより、指針位置を手動修正できるようになっている。
【００９８】
上記のように、秒針車１２３の秒針軸１２３ｂが分針車１３４の分針パイプ１３４ｐに挿通され、分針車１３４の分針パイプ１３４ｐが時針車１３６の時針パイプ１３６ｐに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【００９９】
分針車１３４の分針パイプ１３４ｐの先端部および時針車１３６の時針パイプ１３６ｐの先端部には、図１７に示すように、径方向に所定幅をなして伸びる位置決めのための第１指標としての溝１３４ｇおよび第２指標としての溝１３６ｇが形成されている。そして、これらの溝１３４ｇおよび溝１３６ｇが、一直線に並んだとき所定の時刻例えば１２時００分を指すように設定されている。
【０１００】
このような位置決め指標を設けたことにより、分針車１３４および時針車１３６を下ケース１１１および上ケース１１２により囲繞して覆ってしまった後においても、溝１３４ｇおよび１３６ｇが一直線に並んでいれば予め設定された概略の時刻を指していることが分かるため、その状態を基に分針および時針を容易に取り付けることができ、その他の位置合わせおよび位置確認工程が不要になり、製造ラインおよび検査ラインでの製造時間および検査時間を短縮することができる。なお、位置決め指標としては、上記の溝に限るものではなく、ポッチ等のマークでもよい。
【０１０１】
次に、上記構成による動作を、制御回路１５における制御動作を中心に、図１８から図２２を参照しながら説明する。
【０１０２】
まず、図１８に示すように、たとえばユーザにより受信スイッチ１２−１がオンまたは電池等の電源が投入されると、制御回路１５において、各種状態が初期状態に戻される（ＳＴ１）。
また、このとき受信スイッチ１２−１がオンまたは電源が投入されたことにより、たとえば制御回路１５から標準電波信号受信系１１に駆動電力が供給されて、標準時刻電波信号の強制受信動作が行われる（ＳＴ２）。
【０１０３】
具体的には、標準電波信号受信系１１では、長波受信回路１１ｂから受信状態に応じたパルス信号Ｓ１１が生成され制御回路１５に出力される。
制御回路１５では、受信した標準電波信号の受信状態を示すパルス信号Ｓ１１とあらかじめ決められた基準範囲とが比較される。
その結果、受信状態が基準範囲内にある場合には、受信可能（時刻化が可能）であるとして、受信した電波がデコードされる。
【０１０４】
デコードの結果、時刻化が可能である場合には、発振回路１３による基本クロックに基づいて各種カウンタの制御が行われ、修正スイッチ１２−２が入力されておらず（ＳＴ３）、タイムオーバーしていない場合には（ＳＴ４）、指針位置検出が行われ（ＳＴ５）、時刻のアナログ表示を行う指針の早送り修正が行われる（ＳＴ６）。この早送り修正は、内部時計１５ａの値に応じて秒針用ステッピングモータ１２１および時分針用ステッピングモータ１３１を早送りで回転駆動させ、指針位置をその時刻位置に修正する。
【０１０５】
また、ステップＳＴ３において、修正スイッチ１２−２が入力されたと判別された場合には、指針位置の検出が行われ（ＳＴ７）、ステップＳＴ８の処理に移行される。
【０１０６】
そして、制御回路１５においては、受信状態、すなわち受信が良好で時刻化が可能であったか、受信状態が不良で時刻化が不可能であったかがセットされる（ＳＴ８）。
【０１０７】
制御回路１５において、カウンタ１５ｂにより発振回路１３から入力される基本クロックに応じて、６４Ｈｚが計時される（ＳＴ９）。
制御回路１５では、内部時計１５ａの時カウンタ、分カウンタ、および秒カウンタが補正時刻か否かの判別が行われる（ＳＴ１０）。
【０１０８】
具体的には、制御回路１５では、メモリ１４に記憶されている補正時刻変換表１４ｂと、内部時計１５ａの現時刻に応じて、変換数値を導出する。制御回路１５では、導出された変換数値とメモリ１４に記憶されている補正量１４ｂの絶対値とが比較される。比較の結果、導出された変換数値が補正量１４ｂの絶対値以下の場合には、補正時刻と判断され、ステップＳＴ１１の処理に進む。
【０１０９】
ステップＳＴ１１においては、メモリ１４に記憶されている補正量１４ｂの符号がプラスであるか否かが判別される。
一方、ステップＳＴ１１において、補正量１４ｂの符号がプラスではないと判別された場合、つまりマイナスであると判別された場合には、１／６４秒を１単位として、＋２が内部時計１５ａに計時され（ＳＴ１２）、ステップＳＴ１５の処理に進む。
【０１１０】
一方、ステップＳＴ１１において、補正量１４ｂの符号が、プラスであると判別された場合には、内部時計１５ａに、０が計時される。つまり計時しないで（ＳＴ１３）、ステップＳＴ１５の処理に進む。
【０１１１】
また、ステップＳＴ１０において、補正時間でないと判別された場合には、１／６４秒を一単位として、＋１が内部時計１５ａに計時され（ＳＴ１４）、ステップＳＴ１５の処理に進む。
【０１１２】
ステップＳＴ１５においては、制御回路１５では、計時された１／６４秒を一単位として、内部時計１５ａが＋６４単位計時したか否か、つまり１秒分を計時したか否かが判別される。
【０１１３】
ステップＳＴ１５において、＋６４単位計時していないと判別された場合には、ステップＳＴ９の処理に戻る。
また、ステップＳＴ１５において、＋６４単位計時したと判別した場合には、秒カウンタが加算される（ＳＴ１６）。
【０１１４】
そして、内部時計１５ａの秒カウンタに応じて、制御信号ＣＴＬ1 がバッファ回路１８を介して、秒針用ステッピングモータ１２１に出力され、秒針２０２が駆動される（ＳＴ１７）。
内部時計１５ａに応じて、１０秒毎に制御信号ＣＴＬ2 が、バッファ回路１８を介して、時分用ステッピングモータ１３１に出力され、分針２０３および時針２０４が駆動される（ＳＴ１８）。
【０１１５】
次に、修正スイッチ１２−２が入力されたか否かが判別される（ＳＴ１９）。ステップＳＴ１９においては、修正スイッチ１２−２の入力が行われていると判別された場合には、所定のボタン修正動作が行われた後（ＳＴ２０）、ステップＳＴ３１の処理に進む。
一方、ステップＳＴ１９の判別において、修正スイッチ１２−２が入力されていないと判別された場合には、あらかじめ定められた自動受信の時刻であるか否かの判別が行われる（ＳＴ２１）。たとえば、自動受信の時刻は、午前２時１６分４０秒に設定される。
【０１１６】
ステップＳＴ２１の判別において、自動受信の時刻でないと判別された場合には、ステップＳＴ９の処理に戻る。
一方、ステップＳＴ２１の判別において、自動受信の時刻であると判別された場合には、標準電波が、受信可能か否かの判別が行われる（ＳＴ２２）。
【０１１７】
ステップＳＴ２２の判別において、受信可能でないと判別された場合には、ステップＳＴ３１の処理に進む。
ステップＳＴ２２の判別において、受信可能であると判別された場合には、前回標準電波が正常に受信された時刻から現時刻までの時間が、所定の時間内であるか否かが判別される（ＳＴ２３）。具体的には、たとえば、前回標準電波が正常に受信された時刻から現時刻までの時間が１２から１６８時間以内であるか否かが判別される。
【０１１８】
ステップＳＴ２３において、所定の時間内ではないと判別された場合には、前回標準電波が正常に受信された時刻から現時刻までの時間が、所定の時間よりも短いか否かの判別が行われる（ＳＴ２４）。具体的には、たとえば、１２時間よりも短いか否かの判別が行われる。
【０１１９】
ステップＳＴ２４の判別において、所定の時間よりも短いと判別された場合には、誤差を蓄積するには時間が短いと判断して、メモリ１４に記憶されている補正量１４ａがそのままの値で保持され（ＳＴ２５）、ステップＳＴ３０の処理に進む。
一方、ステップＳＴ２４の判別において、所定の時間よりも長いと判別された場合には、受信状態や環境状態が変化しすぎているため誤差を算出したとしても信用できないと判断され、メモリ１４に記憶されている補正量１４ａが０にセットされ（ＳＴ２６）、ステップＳＴ３０の処理に進む。
【０１２０】
また、ステップＳＴ２３において、前回標準電波が正常に受信された時刻から現時刻までの時間が、所定の時間内、具体的に、１２から１６８時間以内であると判別された場合には、長波受信回路１１ｂから出力された標準時刻信号と、内部時計１５ａの時刻から、内部時計１５ａの標準時刻からの誤差が求められる（ＳＴ２７）。
【０１２１】
たとえば、誤差は、（１／６４）秒を一単位として求められる。
制御回路１５では、求められた内部時計１５ａの誤差から２４時間当たりの補正量が求められる（ＳＴ２８）。補正量は、具体的には、誤差［（１／６４）秒を一単位］×２４［Ｈ］÷（前回標準電波が正常に受信された時刻から今回の正常受信までの経過時間）［Ｈ］で求められる。
【０１２２】
そして、制御回路１５では、算出された補正量を、メモリ１４に記憶された補正量１４ａに加算して、新たな補正量としてメモリ１４に記憶され（ＳＴ２９）、ステップＳＴ３０の処理に進む。
【０１２３】
ステップＳＴ３０においては、制御回路１５では、標準電波信号受信系１１から出力された標準時刻コードに基づいて、内部時計１５ａが修正され、時刻のアナログ表示を行う指針の早送り修正が行われる。この指針の早送り修正は、内部時計１５ａの値に応じて秒針用ステッピングモータ１２１および時分針用ステッピングモータ１３１を早送りで回転駆動させ、指針位置をその時刻位置に修正する。
【０１２４】
ステップＳＴ３１においては、受信状態、すなわち受信が良好で時刻化が可能であったか、受信状態が不良で時刻化が不可能であったかがセットされ、ステップＳＴ９の処理に戻る。
【０１２５】
また、ステップＳＴ５、およびステップＳＴ７における指針位置検出は、たとえば図２１に示すように行われる。
制御回路１５から時分用パルス信号出力パターンがセットされ（ＳＴ５０１）、ドライブ信号ＤＲ2 がドライブ回路１９にローレベルで出力される。これにより、トランジスタＱ2 がオンし、発光素子１４２、すなわち発光ダイオードから検出光が発せられる。
【０１２６】
続いて、制御回路１５から制御信号ＣＴＬ1 が出力されて秒針用ステッピングモータ１２１がパルス駆動され（ＳＴ５０２）、受光素子１４４すなわちフォトトランジスタがオンし、検出信号ＤＴ1 がハイレベル（電源電圧Ｖccレベル）からローレベルに切り換わったか否かの判別が行われる（ＳＴ５０２）。
【０１２７】
ここで、フォトトランジスタからの検出信号ＤＴ1 がハイレベルのままに保持されている場合には、ステップ駆動を行うためにパルス数を加算する度に、フォトトランジスタからの検出信号ＤＴ1 がハイレベル（電源電圧Ｖccレベル）からローレベルに切り換わったか否かの判別が行われる（ＳＴ５０４〜ＳＴ５０６）。
そして、パルス数が９に達してもフォトトランジスタからの検出信号ＤＴ1 出力がハイレベル（電源電圧Ｖccレベル）からローレベルに切り換わらない場合には、時分針用ステッピングモータ１３１が１ステップ（パルス）駆動され（ＳＴ５０７）、その後再び秒針用ステッピングモータ１２１がステップ駆動され（ＳＴ５０２）て、秒針車１２３が回転駆動される。
【０１２８】
一方、ステップＳＴ５０３において、フォトトランジスタによる検出信号ＤＴ1 がハイレベルからローレベルに切り換わったと判別されると、秒針車１２３が早送りされ（ＳＴ５０８）、制御回路１５にあらかじめ記憶された出力パターンとの比較が行われる（ＳＴ５０９）。
比較の結果、得られた出力パターンと記憶された出力パターンとが適合しない場合は、ステップＳＴ５０８に戻り、再び秒針車１２３が早送りされる。
【０１２９】
一方、得られた出力パターンと記憶された出力パターンとが適合した場合には、その時点（５ステップ目でもフォトトランジスタにより検出信号ＤＴ1 のレベルがローレベルに切り換わらない場合において次にフォトトランジスタの出力がローレベルに切り換わった時点）で、制御信号ＣＴＬ1 の出力が停止されて、秒針車１２３の回路駆動が停止される。そして、秒針車１２３が帰零位置で停止する（ＳＴ５１０）。このとき、秒針は所定時刻たとえば正時（０秒）の位置に修正される。
【０１３０】
続いて、制御回路１５から制御信号ＣＴＬ2 が出力されて時分針用ステッピングモータ１３１のみが所定の出力周波数でパルス駆動されて分針車１３４が早送りされる（ＳＴ５１１）。
【０１３１】
そして、フォトトランジスタからの出力パターンと制御回路１５にあらかじめ記憶された出力パターンとの比較が行われる（ＳＴ５１２）。
比較の結果、得られた出力パターンと記憶された出力パターンとが適合しない場合は、ステップＳＴ５１１の処理に戻り、再び分針車１３４が早送りされる。
【０１３２】
一方、ステップＳＴ５１２の比較の結果、得られた出力パターンと記憶された出力パターンとが適合した場合は、その時点で、制御信号ＣＴＬ2 の出力が停止されて、時分針用ステッピングモータ１３１が停止されて、分針車１３４および時針車１３６の駆動が停止される（ＳＴ５１３）。
【０１３３】
ここで、出力パターンとあらかじめ記憶された出力パターンとの比較による時刻修正は、３種類のパターンのいずれかに合わせることにより行われる。
【０１３４】
すなわち、分針車１３４によるフォトトランジスタの出力パターンは、図２２（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図２２（ｂ）に示すように、遮光部が作用するオフの幅が３種類のＤ部、Ｅ部、Ｃ部が所定間隔をおいて交互に現れるようなパターンとなり、両者を合成した出力パターンは、図２２（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定の間隔をおいて現れるパターンとなる。
なお、図２２に示すパターンのうちオンとなるパターンの部分は、実際には３番車１３３の遮光部によりオフとなる部分があるので、歯抜け状のパターンとなっている。
【０１３５】
そこで、Ｄ部，Ｂ部およびＡ部の組み合わせからなるパターンが確認されたときを例えば４時００分、Ｅ部，Ｂ部およびＡ部の組み合わせからなるパターンが確認されたときをたとえば８時００分、Ｃ部，Ｂ部およびＡ部の組み合わせからなるパターンが確認されたときを、たとえば１２時００分としてあらかじめ設定しておけば、これらのパターンのいずれかを検出したときに、時分針用ステッピングモータ１３１を停止させることで、分針車１３４および時針車１３６すなわち分針２０３および時針２０４を所定の時刻に時刻修正することができる。
【０１３６】
そして、時分針用ステッピングモータ１３１を停止させた後、制御回路１５によるドライブ信号ＤＲ2 がハイレベルに切り換えられる。
これにより、ドライブ回路１９のトランジスタＱ2 がオフし、発光ダイオードの発光が停止され（ＳＴ５１４）、時刻修正動作を終了する。
【０１３７】
以上説明したように、本実施の形態によれば、標準電波局２から送信される標準時刻信号を受信する長波信号受信系１１と、補正量、内部時計１５ａを補正すべき補正時刻、および補正回数を対応付ける補正時刻変換表１４ｂを記憶するメモリ１４と、内部時計１５ａを含み、標準時刻信号に応じて内部時計１５ａを修正し、所定の時間経過した後に、内部時計１５ａの誤差を求め、所定の時間当たりの内部時計１５ａに対する補正量を求め、メモリ１４に記憶されている補正時刻変換表１４ｂおよび補正量に応じて、補正量に応じた回数の、内部時計１５ａを補正すべき補正時刻を決定し、決定された補正時刻に、求められた補正量に応じて内部時計１５ａの修正を行う制御回路１５とを設けたので、標準電波を受信した後に水晶精度で時刻表示を行っている場合であっても、正確な時刻を表示可能な自動修正時計を提供することができる。
また、電波時計の時刻に対する信頼性を向上させることができる。
【０１３８】
なお、本発明は本実施の形態に限られるものではなく、任意好適な種々の改変が可能である。たとえば、制御回路１５の処理方法は、上述した実施の形態に限られるものではない。
補正の方法は本実施の形態に限られるものではない。また、補正時刻変換表は、本実施の形態に限られるものではない。また、補正量に応じて、補正時刻を等間隔に設定してもよい。また、制御回路は、補正時刻をあらかじめ求め、その補正時刻をメモリに記憶させ、メモリに記憶されている補正時刻になった場合に、補正を行ってもよい。
【０１３９】
【発明の効果】
以上説明したように、本発明によれば、標準電波を受信した後に水晶精度で時刻表示を行っている場合であっても、正確な時刻を表示可能な自動修正時計を提供することができる。
【図面の簡単な説明】
【図１】本発明に係る自動修正時計の概要を説明するための模式図である。
【図２】本発明に係る自動修正時計の信号処理系回路の一実施の形態を示すブロック構成図である。
【図３】本発明に係る自動修正時計の指針位置検出装置の一実施の形態の全体構成を示す断面図である。
【図４】本発明に係る指針位置検出装置の要部の平面図である。
【図５】図１の自動修正時計の外観を示す正面図である。
【図６】標準時刻電波の信号パターンを示す図である。
【図７】標準時刻電波信号の時刻コードの一例を示す図である。
【図８】図２の自動修正時計の制御回路およびメモリを模式的に示す図である。
【図９】自動修正時計の一部である秒針を駆動する第１駆動系を示す平面図である。
【図１０】自動修正時計の一部である分針および時針を駆動する第２駆動系を示す平面図である。
【図１１】秒針を駆動する第１駆動系の一部をなす第１の５番車を示す平面図である。
【図１２】秒針を駆動する第１駆動系の一部をなす秒針車を示す平面図である。
【図１３】秒針を駆動する第１駆動系の一部をなす秒針車の他の例を示す平面図である。
【図１４】分針および時針を駆動する第２駆動系の一部をなす３番車を示す平面図である。
【図１５】分針および時針を駆動する第２駆動系の一部をなす分針車を示す平面図である。
【図１６】分針および時針を駆動する第２駆動系の一部をなす時針車を示す平面図である。
【図１７】分針パイプおよび時針パイプの先端部を示す端面図である。
【図１８】本発明に係る自動修正時計の制御回路における制御動作を説明するためのフローチャートである。
【図１９】本発明に係る自動修正時計の制御回路における制御動作を説明するためのフローチャートである。
【図２０】本発明に係る自動修正時計の制御回路における制御動作を説明するためのフローチャートである。
【図２１】本発明に係る自動修正時計の制御回路における指針位置修正動作を説明するためのフローチャートである。
【図２２】修正動作において、分針車、時針車、および両者の合成による検出出力パターンを示す図である。
【符号の説明】
１０…信号処理系回路
１１…標準電波信号受信系
１２…スイッチ群
１２−１…受信スイッチ
１２−２…修正スイッチ
１３…発振回路
１４…メモリ
１４ａ…補正量
１４ｂ…補正時刻変換表
１５…制御回路
１５ａ…内部時計
１６…ドライブ回路
１７…発光素子
１８…バッファ回路
１９…ドライブ回路
２０…液晶表示パネル（ディスプレイ）
１００…時計本体
１１１…下ケース（第２ケース）
１１１ｃ…取付け凹部（第２配置部）
１１１ｄ…円形貫通孔
１１２…上ケース（第１ケース）
１１３…中板
１２０…第一駆動系
１２１…秒針用ステッピングモータ（第一駆動源）
１２２…第１の５番車（第一伝達歯車、第一検出用歯車）
１２２ｃ…透孔
１２３…秒針車（第２検出用歯車、第一指針車）
１２３ｃ…透孔
１２３ｄ…位置決め遮光部
１２３ｅ…付勢ばね
１２３ｆ…切り欠き孔
１２３ｇ…切り欠き孔
１３０…第２駆動系
１３１…時分針用ステッピングモータ（第２駆動源）
１３２…第２の５番車
１３３ｃ…透孔
１３４…分針車（第４検出用歯車、第２指針車）
１３４ｃ…円弧状透孔
１３４ｄ…円弧状透孔
１３４ｅ…円弧状透孔
１３４ｇ…溝（第１指標）
１３４ｐ…分針パイプ
１３５…日の裏車
１３６…時針車（第５検出用歯車、第２指針車）
１３６ｃ…円弧状透孔
１３６ｄ…円弧状透孔
１３６ｅ…円弧状透孔
１３６ｇ…溝（第２指標）
１３６ｐ…時針パイプ
１４０…光検出センサ（検出手段）
１４２…発光素子
１４４…受光素子
１５０…手動修正系
２０１…文字盤
２０２…秒針
２０３…分針
２０４…時針
Ｖcc…電源電圧
Ｃ1 〜Ｃ3 …キャパシタ
Ｒ1 〜Ｒ5 …抵抗素子
【図１】
0003820141.tif 000006
【図２】
0003820141.tif 000007
【図３】
0003820141.tif 000008
【図４】
0003820141.tif 000009
【図５】
0003820141.tif 000010
【図６】
0003820141.tif 000011
【図７】
0003820141.tif 000012
【図８】
0003820141.tif 000013
【図９】
0003820141.tif 000014
【図１０】
0003820141.tif 000015
【図１１】
0003820141.tif 000016
【図１２】
0003820141.tif 000017
【図１３】
0003820141.tif 000018
【図１４】
0003820141.tif 000019
【図１５】
0003820141.tif 000020
【図１６】
0003820141.tif 000021
【図１７】
0003820141.tif 000022
【図１８】
0003820141.tif 000023
【図１９】
0003820141.tif 000024
【図２０】
0003820141.tif 000025
【図２１】
0003820141.tif 000026
【図２２】
0003820141.tif 000027